(57)【要約】【課題】より効果的に皮膚を保護することのできる電気かみそりを得る。【解決手段】本発明に係る電気かみそり１は、体毛を剃る刃部４と、刃部４で体毛を剃る際に皮膚表面に接触しつつ回転軸１１を中心として回転可能な回転体１０と、を備えている。また、刃部４は、上下方向にフロート可能に取り付けられた複数の外刃４１を備えている。そして、頂部１０ａが、複数の外刃４１の下死点のうち最も高い下死点１よりも高くなるように回転体１０を設けた。【選択図】図４
2014023743.tif 000002
【特許請求の範囲】
【請求項１】
体毛を剃る刃部と、
前記刃部で体毛を剃る際に皮膚表面に接触しつつ回転軸を中心として回転可能な回転体と、
を備え、
前記刃部は、上下方向にフロート可能に取り付けられた複数の外刃を備えており、
前記回転体は、頂部が、複数の前記外刃の下死点のうち最も高い下死点よりも高くなるように設けられていることを特徴とする電気かみそり。
【請求項２】
前記回転体は、頂部が、複数の前記外刃の上死点のうち最も低い上死点よりも低くなるように設けられていることを特徴とする請求項１に記載の電気かみそり。
【請求項３】
複数の前記外刃は、前記電気かみそりの前後方向に並設されており、
前記電気かみそりの最前面側に設けられた外刃の高さが最も低くなるようにしたことを特徴とする請求項１または請求項２に記載の電気かみそり。
【請求項４】
前記回転体は、少なくとも前記刃部の前側に設けられており、
前記刃部の前側に設けられた前記回転体は、頂部が、前記電気かみそりの最前面側に設けられた外刃の頂部よりも高くなるように設けられていることを特徴とする請求項３に記載の電気かみそり。
【発明の詳細な説明】
【技術分野】
【０００１】
本発明は、電気かみそりに関する。
【背景技術】
【０００２】
従来、電気かみそりとして、体毛を剃る刃部と、当該刃部で体毛を剃る際に皮膚表面に接触しつつ回転可能な皮膚張り部材とを備えるものが知られている（例えば、特許文献１参照）。
【０００３】
この特許文献１では、刃部が設けられたヘッド部の両側部から突出するように皮膚張り部材を設け、刃部により体毛を剃る際には、この皮膚張り部材によってヘッド部が当たる部位の皮膚を引っ張ることで体毛を起毛させて深剃りを行えるようにしている。
【先行技術文献】
【特許文献】
【０００４】
【特許文献１】特開平７−００８６４３号公報
【発明の概要】
【発明が解決しようとする課題】
【０００５】
しかしながら、上記従来の技術では、皮膚張り部材が電気かみそりの剃り方向両端に設けられているため、刃部により体毛を剃る際に、皮膚が剃り方向に引っ張られることとなる。そのため、電気かみそり使用時の剃り方向の摩擦抵抗が増大してしまい、スムースに体毛を剃ることができないという問題がある。
【０００６】
その結果、電気かみそり使用時に余分な力がかかって刃部が皮膚に過剰に接触して皮膚を傷つけてしまうおそれがある。
【０００７】
そこで、本発明は、より効果的に皮膚を保護することのできる電気かみそりを得ることを目的とする。
【課題を解決するための手段】
【０００８】
本発明の第１の特徴は、体毛を剃る刃部と、前記刃部で体毛を剃る際に皮膚表面に接触しつつ回転軸を中心として回転可能な回転体と、を備え、前記刃部は、上下方向にフロート可能に取り付けられた複数の外刃を備えており、前記回転体は、頂部が、複数の前記外刃の下死点のうち最も高い下死点よりも高くなるように設けられていることを要旨とする。
【０００９】
本発明の第２の特徴は、前記回転体は、頂部が、複数の前記外刃の上死点のうち最も低い上死点よりも低くなるように設けられていることを要旨とする。
【００１０】
本発明の第３の特徴は、複数の前記外刃は、前記電気かみそりの前後方向に並設されており、前記電気かみそりの最前面側に設けられた外刃の高さが最も低くなるようにしたことを要旨とする。
【００１１】
本発明の第４の特徴は、前記回転体は、少なくとも前記刃部の前側に設けられており、前記刃部の前側に設けられた前記回転体は、頂部が、前記電気かみそりの最前面側に設けられた外刃の頂部よりも高くなるように設けられていることを要旨とする。
【発明の効果】
【００１２】
本発明によれば、複数の外刃の下死点のうち最も高い下死点よりも頂部が高くなるように回転体を設けているため、電気かみそり使用時には、刃部の皮膚への引っかかりが回転体によって抑制されることとなる。その結果、刃部の皮膚への過剰な接触を抑制することができ、より効果的に皮膚を保護することができるようになる。
【図面の簡単な説明】
【００１３】
【図１】本発明の第１実施形態にかかる電気かみそりの全体斜視図である。
【図２】本発明の第１実施形態にかかるヘッド部の斜視図である。
【図３】本発明の第１実施形態にかかるヘッド部の正面図である。
【図４】本発明の第１実施形態にかかる回転体の位置関係を示す側面図である。
【図５】本発明の第２実施形態にかかる回転体の位置関係を示す側面図である。
【図６】本発明の第３実施形態にかかる回転体の位置関係を示す側面図である。
【発明を実施するための形態】
【００１４】
以下、本発明の実施形態について図面を参照しつつ詳細に説明する。なお、以下では、複数の外刃が並設される方向を前後方向（剃り方向）Ｘ、各外刃が延在する方向を左右方向Ｙ、外刃が上方を向くようにヘッド部を配置した状態における上下方向を上下方向Ｚとして説明する。また、電気かみそりのスイッチ部が設けられている側を前後方向Ｘ前方として説明する。
【００１５】
また、以下の複数の実施形態には、同様の構成要素が含まれている。よって、以下では、それら同様の構成要素には共通の符号を付与するとともに、重複する説明を省略する。
【００１６】
（第１実施形態）
本実施形態にかかる電気かみそり１は、図１に示すように、使用者が把持するグリップ部２と、グリップ部２に連結されるヘッド部３とを備えている。
【００１７】
グリップ部２には、電気かみそり１を動作させる（電源をオン、オフさせる）押圧式のスイッチ２１が設けられている。このスイッチ２１として、本実施形態では押圧式のものを例示したが、オン・オフできるスイッチであればスライド式やその他のスイッチであってもよい。また、本実施形態では、スイッチ２１は、電気かみそり１の前面（正面）に形成されている。なお、前面とは、通常の使用時に、使用者が電気かみそり１のグリップ部２を把持した状態で、使用者と対向する側の面のことである。
【００１８】
ヘッド部３は、グリップ部２に取り付けられるヘッド本体３１と、ヘッド本体３１に着脱自在に装着される刃ヘッドハウジング３２とを備えている。
【００１９】
刃ヘットハウジング３２には、使用者の皮膚表面から延びる体毛（図示せず）を処理する刃部４と、この刃部４に隣接して設けられる回転体としてのローラ１０とが取り付けられている。また、刃ヘットハウジング３２には、刃部４を動作させる駆動部（図示せず）が内蔵されている。
【００２０】
刃部４は、図２に示すように、ヘッド部３の上方に露出して皮膚表面に接触する複数の外刃４１と、それぞれの外刃４１の内方（外刃４１の下側）に配置される図示せぬ内刃とによって構成される。
【００２１】
外刃４１は、刃ヘッドハウジング３２に上下方向Ｚにフロート可能に取り付けられており、外刃４１の延在方向Ｙ（本実施形態では左右方向）と直交する直交方向（本実施形態では前後方向）に複数（５枚）並設されている。具体的には、外刃４１としてＸ方向手前側から奥側に向かって、第１のネット刃４１Ａ、第２のネット刃４１Ｂ、スリット刃４２、第３のネット刃４１Ｃおよび第４のネット刃４１Ｄが順に並設されている。
【００２２】
これらの第１〜第４のネット刃４１Ａ〜４１Ｄは、電気かみそり１をＹ方向（側面方向）から見た時に、上方が凸となるように直交方向Ｘに沿って逆Ｕ字状に湾曲形成されている。また、これら第１〜第４のネット刃４１Ａ〜４１Ｄは、電気かみそり１のＸ方向（正面方向）から見た時にも、中央部が若干上方に凸となるようにＹ方向に沿って湾曲形成されている（図３参照）。また、これら第１〜第４のネット刃４１Ａ〜４１Ｄには、体毛を取り込むための多数の刃穴（図示省略）が形成されている。
【００２３】
スリット刃４２は、先端が略平坦面となるように略逆Ｕ字状に折曲形成されており、このスリット刃４２にあっても平坦な上壁から側壁に亘って体毛を取り込むための多数のスリット（図示省略）が形成されている。
【００２４】
このような電気かみそり１では、外刃４１の刃穴やスリットに入り込んだ体毛を、図示省略した駆動部によって内刃を外刃４１に対してＹ方向に往復動させることにより、外刃４１と内刃との共働で切断するようになっている。つまり、この切断によって体毛が剃られることになる。
【００２５】
なお、本実施形態では、刃部４の外刃４１が第１〜第４のネット刃４１Ａ〜４１Ｄおよびスリット刃４２の５枚刃で構成された場合を例示したが、外刃４１の枚数は５枚に限ることなく、複数（２枚以上）の外刃４１を備えていればよい。
【００２６】
また、刃ヘッドハウジング３２には、刃部４のＸ方向（前後方向）の両外方近傍、つまり、第１のネット刃４１ＡのＸ方向外側（前側）と第４のネット刃４１ＤのＸ方向外側（後側）にそれぞれローラ（回転体）１０が設けられている。
【００２７】
ローラ１０は、刃部４で体毛を剃る際に皮膚表面に接触しつつ回転して、皮膚表面との摩擦を低減するものである。ローラ１０は、容易に変形しない材料、例えば、硬質プラスチックやセラミックス等で形成されることが好ましい。
【００２８】
本実施形態では、刃部４のＸ方向外側にそれぞれ設けられたローラ１０は、刃部４を挟んで略対称に配置されている。そして、刃部４を挟んで対となったローラ１０は、図２および図３に示すように、それぞれＹ方向に直列に複数設けられている。
【００２９】
複数個のローラ１０は、図３に示すように、各ローラ１０の中心部を相対回転自在に貫通した回転軸１１によって軸支持されている。つまり、各ローラ１０には中心孔（孔部）１０ｈが形成されており、その中心孔１０ｈに回転軸１１が僅かな隙間をもって挿通されることにより、各ローラ１０が回転自在となっている。なお、各ローラ１０に中心孔を設けず、各ローラ１０端面から回転軸を突設して当該回転軸を中心に回転させるようにしてもよい。
【００３０】
また、刃ヘッドハウジング３２のＸ方向両側で対向する両辺３２ａ、３２ｂには、ローラ１０を配置するのに十分な深さをもって凹設部３２ｃが設けられている。そして、この凹設部３２ｃにローラ１０が浮いた状態で配置されるとともに、回転軸１１の両端部が凹設部３２ｃを跨いで刃ヘッドハウジング３２に固定されている。
【００３１】
このローラ１０は、刃部４で体毛を剃る際に皮膚表面に接触しつつ回転することにより、刃部４を皮膚表面に沿って移動させる際に外刃４１と皮膚表面との摩擦力を低減させる機能を有している。したがって、ローラ１０は、外刃４１よりも皮膚表面側（Ｚ方向）に所定量突出して配置されている。このとき、図３に示すように、回転軸１１は、外刃４１のＹ方向に延在する先端形状に沿って緩やかに湾曲しており、その回転軸１１に軸支持された複数個のローラ１０は、外刃４１に対してＺ方向に一様に僅かに突出している。
【００３２】
このようなローラ１０を設けた電気かみそり１を用いて体毛を剃る際には、まず、ヘッド部３の刃部４を皮膚表面にあてがった後、深剃りするために刃部４を皮膚表面に押し付けることになる。すると、ローラ１０が皮膚表面に接触し、この状態で電気かみそり１を移動するとローラ１０は皮膚表面に沿って回転しつつ刃部４によって体毛が切断される。そして、このときのローラ１０の回転により、刃部４（図１参照）を移動させる際の摩擦力が低減されて移動抵抗を小さくすることができる。
【００３３】
ところで、ローラ１０を回転させるにあたって、回転軸１１が細ければ細い程、回転方向と逆向きに作用する転がり抵抗を小さくすることができ、ローラ１０をより円滑に回転させることができるようになる。ところが、回転軸１１を単に細くした場合には、刃部４の押し付け（押付力）に対する反力が部分的に作用して回転軸１１が撓んでしまう。
【００３４】
そのため、本実施形態では、図３に示すように、ローラ１０を支持する回転軸１１と刃ヘッドハウジング３２との間に、回転軸１１の撓みを抑制する支持部（撓み防止部）２０を設けている。この支持部２０は、本実施形態では刃ヘッドハウジング３２から一体に突設されている。そして、支持部２０はその先端部を回転軸１１に直接接触しつつ突き当てることにより、ローラ１０が皮膚表面に接触する側（上側）とは反対側（下側）から回転軸１１を支持するようになっている。
【００３５】
本実施形態では、支持部２０は、回転軸１１の軸方向（Ｙ方向）に複数設けられている。この場合、回転軸１１の軸方向略中央部を境として左右対称に配置するのが好適である。
【００３６】
ここで、本実施形態では、上下方向Ｚにフロート可能に取り付けられた複数の外刃４１の下死点のうち最も高い下死点よりも頂部１０ａが高くなるようにローラ１０を設けている。
【００３７】
具体的には、第１〜第４のネット刃４１Ａ〜４１Ｄおよびスリット刃４２は、それぞれ独立して上下方向Ｚにフロート可能となるように刃ヘッドハウジング３２に取り付けられている。そして、第２〜第４のネット刃４１Ｂ〜４１Ｄおよびスリット刃４２は、上死点および下死点がほぼ同様の高さ（図４の上死点１および下死点１）となるように、刃ヘッドハウジング３２に取り付けられている。
【００３８】
一方、電気かみそり１の最前面側に位置する第１のネット刃４１Ａは、他の外刃（第２〜第４のネット刃４１Ｂ〜４１Ｄおよびスリット刃４２）よりも上死点および下死点が低くなるように刃ヘッドハウジング３２に取り付けられている（図４の上死点２および下死点２）。
【００３９】
すなわち、本実施形態では、複数の外刃４１を、電気かみそり１の前後方向に並設し、電気かみそり１の最前面側に設けられた外刃（第１のネット刃４１Ａ）の高さが最も低くなるようにしている。
【００４０】
そして、前後に配置されたローラ１０は、いずれも、複数の外刃４１の下死点のうち最も高い下死点である下死点１よりも頂部１０ａの高さが高くなるように配置されている。
【００４１】
さらに、本実施形態では、前側に配置されたローラ１０は、頂部１０ａの高さが、上死点２（複数の外刃４１の上死点のうち最も低い上死点）よりも低くなるように配置されている。
【００４２】
かかる構成のローラ１０を回転軸１１方向に複数設けた電気かみそり１を用いると、ローラ１０は以下のように作用する。
【００４３】
まず、ヘッド部３の刃部４を皮膚表面にあてがった後、刃部４を皮膚表面に押し付ける。すると、ローラ１０が皮膚表面に接触し、この状態で電気かみそり１を移動するとローラ１０は皮膚表面に沿って回転しつつ体毛を切断することができる。このときのローラ１０の回転により、刃部４を移動させる際の摩擦力が低減されて移動抵抗を小さくできることになる。
【００４４】
ところで、電気かみそり１の使用時に、外刃４１を皮膚表面に強くあてがって、外刃４１が下死点１や下死点２まで押し下がってしまうと、外刃４１が皮膚表面に過剰に接触して皮膚表面が傷ついてしまうおそれがある。
【００４５】
しかしながら、本実施形態では、外刃４１を皮膚表面に強くあてがったとしても、最上位に位置する下死点１よりも上方にローラ１０の頂部１０ａが位置するため、このローラ１０によって外刃４１が下死点１まで押し下がってしまうのが抑制される。そのため、外刃４１の皮膚表面への接触圧が過剰にかかってしまうのが抑制され、適度な圧力で外刃４１を皮膚表面へ接触させることができるようになる。
【００４６】
以上、説明したように、本実施形態では、複数の外刃４１（第１〜第４のネット刃４１Ａ〜４１Ｄおよびスリット刃４２）の下死点のうち最も高い下死点１よりも頂部１０ａが高くなるようにローラ（回転体）１０を設けている。そのため、電気かみそり１の使用時には、刃部４の皮膚表面への引っかかりがローラ（回転体）１０によって抑制されることとなる。その結果、刃部４の皮膚表面への過剰な接触を抑制することができ、より効果的に皮膚を保護することができるようになる。さらに、本実施形態では、前後方向両側にローラ（回転体）１０を設け、いずれのローラ１０も、複数の外刃４１の下死点のうち最も高い下死点である下死点１よりも頂部１０ａの高さが高くなるように配置している。そのため、刃部４を前方から後方に滑らす場合だけでなく、後方から前方へ刃部を滑らす場合にも、より効果的に皮膚を保護することができるようになるという利点がある。
【００４７】
また、本実施形態によれば、ローラ（回転体）１０は、頂部１０ａが、複数の外刃４１（第１〜第４のネット刃４１Ａ〜４１Ｄおよびスリット刃４２）の上死点のうち最も低い上死点２よりも低くなるように設けられている。具体的には、前側に配置されたローラ１０は、頂部１０ａの高さが、上死点２（複数の外刃４１の上死点のうち最も低い上死点）よりも低くなるように配置されている。このように、ローラ（回転体）１０の頂部１０ａを、複数の外刃４１の上死点のうち最も低い上死点２よりも低くなるようにすることで、ローラ（回転体）１０に邪魔されることなく、刃部４を皮膚表面へ接触させることができる。その結果、外刃４１の皮膚表面への接圧を適度な圧力に保ちつつ、刃部４の皮膚表面への過剰な接触を抑制することができるようになる。すなわち、より効果的に皮膚を保護しつつ体毛をより確実に短く剃ること（いわゆる、深剃り）ができるようになる。
【００４８】
ところで、電気かみそり１を使用する際、使用者は、電気かみそり１の前面（正面）が使用者と対向するようにグリップ部２を把持するのが通常である。そして、かかる状態で、刃部４を皮膚表面にあてがって体毛を剃るようにするものである。そのため、通常の使用時には、電気かみそり１の最前面側に設けられた外刃（第１のネット刃４１Ａ）が唇（皮膚表面）に接触して唇（皮膚表面）を傷つけてしまうおそれがある。
【００４９】
しかしながら、本実施形態では、複数の外刃４１を、電気かみそり１の前後方向に並設し、電気かみそり１の最前面側に設けられた外刃（第１のネット刃４１Ａ）の高さが最も低くなるようにしている。そのため、電気かみそり１の通常の使用時に、最前面側に設けられた外刃（第１のネット刃４１Ａ）が唇（皮膚表面）に接触してしまうのが抑制され、唇（皮膚表面）をより効果的に保護することができるようになる。
【００５０】
（第２実施形態）
本実施形態にかかる電気かみそり１は、基本的に上記第１実施形態の電気かみそり１と同様の構成を備えている。
【００５１】
すなわち、本実施形態にかかる電気かみそり１は、使用者が把持するグリップ部２と、グリップ部２に連結されるヘッド部３とを備えている。
【００５２】
また、ヘッド部３の刃ヘットハウジング３２には、使用者の皮膚表面から延びる体毛（図示せず）を処理する刃部４と、この刃部４に隣接して設けられる回転体としてのローラ１０とが取り付けられている。
【００５３】
また、第１〜第４のネット刃４１Ａ〜４１Ｄおよびスリット刃４２は、それぞれ独立して上下方向Ｚにフロート可能となるように刃ヘッドハウジング３２に取り付けられている。そして、第２〜第４のネット刃４１Ｂ〜４１Ｄおよびスリット刃４２は、上死点および下死点がほぼ同様の高さ（図５の上死点１および下死点１）となるように、刃ヘッドハウジング３２に取り付けられている。
【００５４】
一方、電気かみそり１の最前面側に位置する第１のネット刃４１Ａは、他の外刃（第２〜第４のネット刃４１Ｂ〜４１Ｄおよびスリット刃４２）よりも上死点および下死点が低くなるように刃ヘッドハウジング３２に取り付けられている（図５の上死点２および下死点２）。
【００５５】
すなわち、本実施形態においても、複数の外刃４１を、電気かみそり１の前後方向に並設し、電気かみそり１の最前面側に設けられた外刃（第１のネット刃４１Ａ）の高さが最も低くなるようにしている。
【００５６】
さらに、前側に配置されたローラ１０は、頂部１０ａの高さが、上死点２（複数の外刃４１の上死点のうち最も低い上死点）よりも低くなるように配置されている。
【００５７】
そして、前後に配置されたローラ１０は、いずれも、複数の外刃４１の下死点のうち最も高い下死点である下死点１よりも頂部１０ａの高さが高くなるように配置されている。
【００５８】
ここで、本実施形態にかかる電気かみそり１が、上記第１実施形態の電気かみそり１と主に異なる点は、後側に配置されたローラ１０を、頂部１０ａの高さが、上死点２（複数の外刃４１の上死点のうち最も低い上死点）よりも低くなるように配置した点にある。
【００５９】
すなわち、本実施形態では、前側に配置されたローラ１０だけでなく、後側に配置されたローラ１０も、頂部１０ａの高さが、下死点１よりも高く、上死点２よりも低くなるように配置されている。
【００６０】
以上の本実施形態によっても、上記第１実施形態と同様の作用、効果を奏することができる。
【００６１】
また、本実施形態によれば、前側に配置されたローラ１０だけでなく、後側に配置されたローラ１０も、頂部１０ａの高さが、下死点１よりも高く、上死点２よりも低くなるように配置している。そのため、刃部４を前方から後方に滑らす場合だけでなく、後方から前方へ刃部を滑らす場合にも、より効果的に皮膚を保護しつつ体毛をより確実に短く剃ること（いわゆる、深剃り）ができるようになる。
【００６２】
（第３実施形態）
本実施形態にかかる電気かみそり１は、基本的に上記第２実施形態の電気かみそり１と同様の構成を備えている。
【００６３】
すなわち、本実施形態にかかる電気かみそり１は、使用者が把持するグリップ部２と、グリップ部２に連結されるヘッド部３とを備えている。
【００６４】
また、ヘッド部３の刃ヘットハウジング３２には、使用者の皮膚表面から延びる体毛（図示せず）を処理する刃部４と、この刃部４に隣接して設けられる回転体としてのローラ１０とが取り付けられている。
【００６５】
また、第１〜第４のネット刃４１Ａ〜４１Ｄおよびスリット刃４２は、それぞれ独立して上下方向Ｚにフロート可能となるように刃ヘッドハウジング３２に取り付けられている。そして、第２〜第４のネット刃４１Ｂ〜４１Ｄおよびスリット刃４２は、上死点および下死点がほぼ同様の高さ（図６の上死点１および下死点１）となるように、刃ヘッドハウジング３２に取り付けられている。
【００６６】
一方、電気かみそり１の最前面側に位置する第１のネット刃４１Ａは、他の外刃（第２〜第４のネット刃４１Ｂ〜４１Ｄおよびスリット刃４２）よりも上死点および下死点が低くなるように刃ヘッドハウジング３２に取り付けられている（図６の上死点２および下死点２）。
【００６７】
すなわち、本実施形態においても、複数の外刃４１を、電気かみそり１の前後方向に並設し、電気かみそり１の最前面側に設けられた外刃（第１のネット刃４１Ａ）の高さが最も低くなるようにしている。
【００６８】
さらに、後側に配置されたローラ１０は、頂部１０ａの高さが、下死点１よりも高く、上死点２よりも低くなるように配置されている。
【００６９】
ここで、本実施形態にかかる電気かみそり１が、上記第２実施形態の電気かみそり１と主に異なる点は、刃部４の前側に設けられたローラ１０を、頂部１０ａが、電気かみそり１の最前面側に設けられた外刃４１の頂部よりも高くなるように設けた点にある。
【００７０】
具体的には、前側に配置されたローラ１０を、頂部１０ａの高さが、上死点２（最前面側に設けられた外刃４１の頂部）よりも高くなるように配置した。
【００７１】
以上の本実施形態によっても、上記第２実施形態と同様の作用、効果を奏することができる。
【００７２】
また、本実施形態によれば、刃部４の前側に設けられたローラ１０を、頂部１０ａが、電気かみそり１の最前面側に設けられた外刃４１の頂部よりも高くなるように設けている。そのため、電気かみそり１の通常の使用時に、最前面側に設けられた外刃（第１のネット刃４１Ａ）が唇（皮膚表面）に接触してしまうのを、前側に設けられたローラ１０によって抑制することができる。その結果、唇（皮膚表面）をより一層効果的に保護することができるようになる。
【００７３】
以上、本発明の好適な実施形態について説明したが、本発明は上記実施形態には限定されず、種々の変形が可能である。
【００７４】
例えば、上記各実施形態では、刃部の前後両方に回転体を設けたものを例示したが、回転体は、少なくとも刃部の前方に設けられていればよい。
【００７５】
また、刃部やヘッド部その他細部のスペック（形状、大きさ、レイアウト等）も適宜に変更可能である。
【符号の説明】
【００７６】
１  電気かみそり
４  刃部
４１  外刃
１０  ローラ（回転体）
１０ａ  頂部
１１  回転軸
【図１】
2014023743.tif 000003
【図２】
2014023743.tif 000004
【図３】
2014023743.tif 000005
【図４】
2014023743.tif 000006
【図５】
2014023743.tif 000007
【図６】
2014023743.tif 000008